(57)【要約】【課題】  内部インターフェイスから画像信号を入力し得る状況で、画像信号の入力有無の判定をより適切に行うことが可能な信号処理装置等を提供すること。【解決手段】  信号処理装置１２０が、外部端子を経由せずに画像信号を受け付ける内部インターフェイス１２４と、内部インターフェイス１２４における画像信号の入力有無を判定する入力判定部１２７と、内部インターフェイス１２４における画像信号の入力有無判定を行わせる指示を示す第１の指示情報を受け付ける指示情報入力部１２６と、前記第１の指示情報に基づき、入力判定部１２７の制御を行う制御部１２８を含んで構成される。【選択図】  図２
2010197533.tif 000002
【特許請求の範囲】
【請求項１】
外部端子を経由せずに画像信号を受け付ける内部インターフェイスと、
前記内部インターフェイスにおける画像信号の入力有無を判定する入力判定部と、
前記内部インターフェイスにおける画像信号の入力有無判定を行わせる指示を示す第１の指示情報を受け付ける指示情報受付部と、
前記第１の指示情報に基づき、前記入力判定部の制御を行う制御部と、
を含む信号処理装置。
【請求項２】
請求項１に記載の信号処理装置において、
前記指示情報受付部は、前記内部インターフェイスにおける画像信号の入力有無判定を省略させる指示を示す第２の指示情報を受け付け、
前記制御部は、前記第２の指示情報が受け付けられた場合、前記入力判定部に対し、前記内部インターフェイスにおける画像信号の入力有無の判定を省略させる制御を行う、
信号処理装置。
【請求項３】
請求項１または請求項２に記載の信号処理装置において、
前記外部端子を経由して画像信号を受け付ける外部インターフェイスを含み、
前記入力判定部は、前記外部インターフェイスにおける画像信号の入力有無を判定する、
信号処理装置。
【請求項４】
請求項１〜３のいずれかに記載の信号処理装置と、
前記画像信号に基づき、画像を生成する画像生成部と、
前記画像を表示する表示部と、
を含む表示装置。
【請求項５】
請求項４に記載の表示装置において、
メディアを再生するメディア再生部を含み、
前記第１の指示情報は、前記メディア再生部に前記メディアがあることを示す情報である、
表示装置。
【請求項６】
請求項５に記載の前記表示装置と、請求項５に記載の前記メディア再生部とが一体に構成されたプロジェクター。
【請求項７】
外部端子を経由せずに画像信号を受け付ける内部インターフェイスを含む信号処理装置の有するコンピューターに、
前記内部インターフェイスにおける画像信号の入力有無を判定する入力判定ステップと、
前記内部インターフェイスにおける画像信号の入力有無判定を行わせる指示を示す第１の指示情報を入力する指示情報入力ステップと、
前記第１の指示情報に基づき、前記入力判定部の制御を行う制御ステップと、を実行させるプログラム。
【請求項８】
外部端子を経由せずに画像信号を受け付ける内部インターフェイスを含む信号処理装置の有するコンピューターにより読み取り可能なプログラムを記憶した情報記憶媒体であって、
請求項７に記載のプログラムを記憶した情報記憶媒体。
【発明の詳細な説明】
【技術分野】
【０００１】
本発明は、信号処理装置、表示装置、プロジェクター、プログラムおよび情報記憶媒体に関する。
【背景技術】
【０００２】
プロジェクターには、画像信号入力端子に入力されている画像信号を検出し、画像を投写する機能がある。また、例えば、特開２００６−２８５１６７号公報では、画像信号の有無を検出することにより、映像ソースの探索中に使用不可の映像ソースがあれば、これを飛び越して自動的に次の映像ソースを探索することが記載されている。
【先行技術文献】
【特許文献】
【０００３】
【特許文献１】特開２００６−２８５１６７号公報
【発明の概要】
【発明が解決しようとする課題】
【０００４】
一方、ＤＶＤユニット等と一体化されたプロジェクターの場合、外部のＤＶＤプレーヤー等と接続される外部インターフェイスではなく、ＤＶＤユニット等と接続される内部インターフェイスから画像信号を直接入力している。このため、このようなプロジェクターでは、ＤＶＤ等が挿入されていない場合であっても、ＤＶＤユニット等から画像信号（待機信号）が入力されてしまい、上述した映像ソースを飛び越す機能が有効に機能せず、外部インターフェイスを介した映像ソースの探索が行われることなく、当該画像信号に応じた待機画像が投写されてしまう。
【０００５】
本発明の目的は、内部インターフェイスから画像信号を入力し得る状況で、画像信号の入力有無の判定をより適切に行うことが可能な信号処理装置、表示装置、プロジェクター、プログラムおよび情報記憶媒体を提供することにある。
【課題を解決するための手段】
【０００６】
上記課題を解決するため、本発明に係る信号処理装置は、外部端子を経由せずに画像信号を受け付ける内部インターフェイスと、前記内部インターフェイスにおける画像信号の入力有無を判定する入力判定部と、前記内部インターフェイスにおける画像信号の入力有無判定を行わせる指示を示す第１の指示情報を受け付ける指示情報受付部と、前記第１の指示情報に基づき、前記入力判定部の制御を行う制御部と、を含むことを特徴とする。
【０００７】
また、本発明に係る表示装置は、上記信号処理装置と、前記画像信号に基づき、画像を生成する画像生成部と、前記画像を表示する表示部と、を含むことを特徴とする。
【０００８】
また、本発明に係るプログラムは、外部端子を経由せずに画像信号を受け付ける内部インターフェイスを含む信号処理装置の有するコンピューターに、前記内部インターフェイスにおける画像信号の入力有無を判定する入力判定ステップと、前記内部インターフェイスにおける画像信号の入力有無判定を行わせる指示を示す第１の指示情報を入力する指示情報入力ステップと、前記第１の指示情報に基づき、前記入力判定部の制御を行う制御ステップと、を実行させることを特徴とする。
【０００９】
また、本発明に係る情報記憶媒体は、外部端子を経由せずに画像信号を受け付ける内部インターフェイスを含む信号処理装置の有するコンピューターにより読み取り可能なプログラムを記憶した情報記憶媒体であって、上記プログラムを記憶したことを特徴とする。
【００１０】
本発明によれば、表示装置等は、例えば、第１の指示情報が受け付けられなかった場合に内部インターフェイスにおける画像信号の入力有無の判定を行わない制御を行うことにより、内部インターフェイスから画像信号を入力し得る状況で、画像信号の入力有無の判定をより適切に行うことができる。
【００１１】
また、前記指示情報受付部は、前記内部インターフェイスにおける画像信号の入力有無判定を省略させる指示を示す第２の指示情報を受け付け、前記制御部は、前記第２の指示情報が受け付けられた場合、前記入力判定部に対し、前記内部インターフェイスにおける画像信号の入力有無の判定を省略させる制御を行ってもよい。
【００１２】
これによれば、表示装置等は、第２の指示情報が受け付けられた場合に内部インターフェイスにおける画像信号の入力有無の判定を省略させる制御を行うことにより、内部インターフェイスから画像信号を入力し得る状況で、画像信号の入力有無の判定をより適切に行うことができる。
【００１３】
また、前記信号処理装置は、前記外部端子を経由して画像信号を受け付ける外部インターフェイスを含み、前記入力判定部は、前記外部インターフェイスにおける画像信号の入力有無を判定してもよい。
【００１４】
これによれば、表示装置等は、例えば、内部インターフェイスにおける画像信号の入力有無の判定を省略させる制御が行われた際に当該判定を省略して外部インターフェイスにおける画像信号の入力有無を判定を行うことができる。
【００１５】
また、前記表示装置は、メディアを再生するメディア再生部を含み、前記第１の指示情報は、前記メディア再生部に前記メディアがあることを示す情報であってもよい。
【００１６】
これによれば、表示装置等は、制御部がメディア再生部におけるメディアの有無を把握して制御を行うことができるため、画像信号の入力有無の判定をより適切に行うことができる。
【００１７】
また、本発明に係るプロジェクターは、上記表示装置と、前記メディア再生部とが一体に構成されたことを特徴とする。
【００１８】
これによれば、例えば、ＤＶＤ一体型のプロジェクター等は、内部インターフェイスから画像信号を入力し得る状況で、画像信号の入力有無の判定をより適切に行うことができる。
【図面の簡単な説明】
【００１９】
【図１】第１の実施例におけるプロジェクターの使用状況を示す図である。
【図２】第１の実施例におけるプロジェクターの機能ブロック図である。
【図３】第１の実施例における画像投写手順を示すフローチャートである。
【図４】第２の実施例におけるＨＤＤレコーダーの使用状況を示す図である。
【図５】第２の実施例におけるＨＤＤレコーダーの機能ブロック図である。
【図６】第２の実施例における画像出力手順を示すフローチャートである。
【発明を実施するための形態】
【００２０】
以下、本発明をプロジェクターとＨＤＤレコーダーに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２１】
（第１の実施例）
図１は、第１の実施例におけるプロジェクター１００の使用状況を示す図である。表示装置の一種であるプロジェクター１００は、メディア再生部の一種であるディスク再生部１１０を内蔵しており、メディアの一種であるＤＶＤに記録された画像信号を、内部インターフェイスを介して入力して画像を投写する。また、プロジェクター１００は、セットトップボックス２００と接続され、セットトップボックス２００からの画像信号を、外部インターフェイスを介して入力して画像を投写する。このように、プロジェクター１００は、複数のソース（画像供給部）から画像信号を入力するため、自動的に画像信号の入力有無の判定（ソースサーチともいう。）を行う。
【００２２】
さらに、プロジェクター１００は、画像信号の入力有無の判定を行う際に、内部インターフェイスにおける画像信号の入力有無判定を行わせる指示を示す第１の指示情報を入力しなかった場合、あるいは、当該入力有無判定を省略させる指示を示す第２の指示情報を入力した場合、内部インターフェイスにおける画像信号の入力有無判定を省略する機能を有する。
【００２３】
次に、このような機能を有するプロジェクター１００の機能ブロックについて説明する。図２は、第１の実施例におけるプロジェクター１００の機能ブロック図である。プロジェクター１００は、ディスク再生部１１０と、信号処理装置１２０と、画像を生成する画像生成部１３０と、画像を表示する表示部の一種である投写部１９０を含んで構成されている。このように、プロジェクター１００は、ＤＶＤ一体型のプロジェクターとして形成されている。
【００２４】
ディスク再生部１１０は、ＤＶＤプレーヤー１１２と、ＤＶＤプレーヤー１１２におけるディスクの有無に応じて第１の指示情報または第２の指示情報を生成する指示情報生成部１１４と、指示情報を信号処理装置１２０に出力する指示情報出力部１１６を含んで構成されている。
【００２５】
また、信号処理装置１２０は、セットトップボックス２００等とケーブルを介して接続され、セットトップボックス２００等からの画像信号を受け付ける（入力する）外部インターフェイス１２２と、ディスク再生部１１０とケーブルを介して接続され、ディスク再生部１１０からの画像信号を受け付ける内部インターフェイス１２４と、指示情報を受け付ける指示情報受付部として機能する指示情報入力部１２６と、外部インターフェイス１２２および内部インターフェイス１２４における画像信号の入力有無を判定する入力判定部１２７と、指示情報に応じて入力判定部１２７を制御する制御部１２８を含んで構成されている。
【００２６】
なお、プロジェクター１００は、これらの各部の機能を、以下のハードウェアを用いて実装してもよい。例えば、プロジェクター１００は、指示情報生成部１１４、入力判定部１２７、制御部１２８はＣＰＵ等、指示情報出力部１１６、内部インターフェイス１２４、指示情報入力部１２６はＵＳＢインターフェイス、信号変換回路等、外部インターフェイス１２２は信号入力端子（外部端子）、信号変換回路等、画像生成部１３０は画像処理回路等、投写部１９０はランプ、液晶パネル、投写レンズ等を用いて実装してもよい。
【００２７】
また、プロジェクター１００は、制御部１２８等の機能を情報記憶媒体３００に記憶されたプログラムを読み取って実装してもよい。このような情報記憶媒体３００としては、例えば、ＣＤ−ＲＯＭ、ＤＶＤ−ＲＯＭ、ＲＯＭ、ＲＡＭ、ＨＤＤ等を適用できる。
【００２８】
次に、これらの各部を用いた画像投写手順について説明する。図３は、第１の実施例における画像投写手順を示すフローチャートである。
【００２９】
制御部１２８は、例えば、プロジェクター１００の起動時、ソース切り替え時、ソースサーチ指示時等に、指示情報入力部１２６が第１の指示情報を入力したかどうかを判定する（ステップＳ１）。例えば、ユーザーが、ＤＶＤプレーヤー１１２にＤＶＤが挿入された状態でプロジェクター１００を起動した場合、指示情報生成部１１４は、ＤＶＤが挿入されていることを示す挿入通知情報を第１の指示情報として生成し、指示情報出力部１１６は当該第１の指示情報を出力し、指示情報入力部１２６は第１の指示情報を入力する。
【００３０】
一方、ユーザーが、ＤＶＤプレーヤー１１２にＤＶＤが挿入されていない状態でプロジェクター１００を起動した場合、指示情報生成部１１４は、ＤＶＤが挿入されていないことを示す未挿入通知情報を第２の指示情報として生成し、指示情報出力部１１６は当該第２の指示情報を出力し、指示情報入力部１２６は第２の指示情報を入力する。
【００３１】
指示情報入力部１２６に第１の指示情報が入力された場合、入力判定部１２７は、最も優先度の高い内部インターフェイス１２４における画像信号の入力有無を判定し、内部インターフェイス１２４を介してＤＶＤプレーヤー１１２から画像信号を入力し、画像生成部１３０は、当該画像信号に基づき、ＤＶＤの画像信号に基づく画像を生成する（ステップＳ２）。
【００３２】
一方、指示情報入力部１２６に第２の指示情報が入力された場合、制御部１２８は、内部インターフェイス１２４における画像信号の入力有無の判定を省略（スキップ）させるように入力判定部１２７を制御する。これにより、入力判定部１２７は、内部インターフェイス１２４の次に優先度の高い外部インターフェイス１２２のＨＤＭＩ端子に画像信号が入力されたかどうかを判定することにより、ＨＤＭＩソース（ＨＤＭＩケーブルを介して画像信号を出力する画像出力装置）があるかどうかを判定する（ステップＳ３）。
【００３３】
ＨＤＭＩソースがある場合、入力判定部１２７は、外部インターフェイス１２２のＨＤＭＩ端子を介してセットトップボックス２００等から画像信号を入力し、画像生成部１３０は、当該画像信号に基づき、デジタル画像を生成する（ステップＳ４）。
【００３４】
また、ＨＤＭＩソースがない場合、入力判定部１２７は、ＨＤＭＩソースの次に優先度が高い外部インターフェイス１２２のビデオ端子に画像信号が入力されたかどうかを判定することにより、ビデオソース（アナログビデオケーブルを介して画像信号を出力する画像出力装置）があるかどうかを判定する（ステップＳ５）。
【００３５】
ビデオソースがある場合、入力判定部１２７は、外部インターフェイス１２２のビデオ端子を介してセットトップボックス２００等から画像信号を入力し、画像生成部１３０は、当該画像信号に基づき、アナログ画像を生成する（ステップＳ６）。
【００３６】
なお、入力判定部１２７は、指示情報が入力されない場合であっても、内部インターフェイス１２４における画像信号入力がないと判定した場合、外部インターフェイス１２２における画像信号の入力有無を判定してもよい。
【００３７】
さらに、第２の指示情報が入力され、ＨＤＭＩソースもビデオソースもない場合、入力判定部１２７は、ディスク再生部１１０から待機画像を生成するための待機画像信号を入力し、画像生成部１３０は、当該待機画像信号に基づき、待機画像（例えば、背景が青でプロジェクター１００のメーカー名が表示される画像等）を生成する（ステップＳ７）。
【００３８】
投写部１９０は、画像生成部１３０によって生成される画像を投写する（ステップＳ８）。
【００３９】
以上のように、本実施例によれば、プロジェクター１００は、第２の指示情報が入力された場合に内部インターフェイス１２４における画像信号の入力有無の判定を行わない制御を行うことにより、内部インターフェイス１２４から画像信号を入力し得る状況で、画像信号の入力有無の判定をより適切に行うことができる。
【００４０】
すなわち、本実施例によれば、プロジェクター１００は、ＤＶＤプレーヤー１１２にディスクが挿入されていない状態で待機画像信号が内部インターフェイス１２４に入力される状況であっても、当該待機画像信号に基づく画像を生成する前に外部インターフェイス１２２における画像信号の入力有無を判定することができるため、ソースサーチが中断せず、適切にソースサーチを行うことができる。
【００４１】
また、本実施例によれば、プロジェクター１００は、制御部１２８がディスク再生部１１０にディスクが挿入されたことを把握して制御を行うことができるため、画像信号の入力有無の判定をより適切に行うことができる。
【００４２】
（第２の実施例）
信号処理装置１２０を実装可能な装置はプロジェクター１００には限定されず、例えば、ＨＤＤレコーダー、テレビ、ＰＣ(Personal Computer)、ゲーム装置、カーナビゲーション装置等の外部インターフェイスと内部インターフェイスを有する種々の装置に信号処理装置１２０を実装可能である。また、指示情報出力部は第１の指示情報のみを出力してもよい。次に、本発明をＤＶＤプレーヤーとＨＤＤを内蔵したＨＤＤレコーダーに適用した実施例について説明する。
【００４３】
図４は、第２の実施例におけるＨＤＤレコーダー４００の使用状況を示す図である。ＨＤＤレコーダー４００は、ディスク再生部およびＨＤＤを内蔵しており、ＤＶＤまたはＨＤＤに記録された画像信号を、内部インターフェイスを介して入力して画像を生成する。また、ＨＤＤレコーダー４００は、セットトップボックス２００と接続され、セットトップボックス２００からの画像信号を、外部インターフェイスを介して入力して画像を生成する。このように、ＨＤＤレコーダー４００は、複数のソースから画像信号を入力するため、自動的に画像信号の入力有無の判定を行う。さらに、ＨＤＤレコーダー４００は、生成した画像をテレビ５００に出力し、テレビ５００は当該画像を表示する。
【００４４】
ＨＤＤレコーダー４００は、画像信号の入力有無の判定を行う際に、制限時間内に内部インターフェイスにおける画像信号の入力有無判定指示を示す第１の指示情報を入力しなかった場合、内部インターフェイスにおける画像信号の入力有無判定を省略する機能を有する。
【００４５】
次に、このような機能を有するＨＤＤレコーダー４００の機能ブロックについて説明する。図５は、第２の実施例におけるＨＤＤレコーダー４００の機能ブロック図である。ＨＤＤレコーダー４００は、ディスク再生部４１０と、信号処理装置４２０と、画像を生成する画像生成部１３０と、画像をテレビ５００に出力する画像出力部４４０を含んで構成されている。
【００４６】
ディスク再生部４１０は、ＤＶＤプレーヤー４１２と、ＨＤＤ４１３と、ＤＶＤプレーヤー４１２およびＨＤＤ４１３における画像データ有無に応じて指示情報を生成する指示情報生成部４１４と、第１の指示情報を信号処理装置４２０に出力する指示情報出力部４１６を含んで構成されている。
【００４７】
また、信号処理装置４２０は、セットトップボックス２００、テレビ５００等とケーブルを介して接続される外部インターフェイス４２２と、ディスク再生部４１０とケーブルを介して接続される内部インターフェイス４２４と、第１の指示情報を受け付ける指示情報入力部４２６と、外部インターフェイス４２２および内部インターフェイス４２４における画像信号の入力有無を判定する入力判定部４２７と、第１の指示情報に応じて入力判定部４２７を制御する制御部４２８を含んで構成されている。
【００４８】
なお、ハードウェア構成は第１の実施例と同様であるため、説明を省略する。また、ＨＤＤレコーダー４００は、第１の実施例と同様に、情報記憶媒体３０１からプログラムを読み取って制御部４２８等の機能を実装してもよい。
【００４９】
次に、これらの各部を用いた画像出力手順について説明する。図６は、第２の実施例における画像出力手順を示すフローチャートである。
【００５０】
制御部４２８は、指示情報入力部４２６が第１の指示情報を入力したかどうかを判定する（ステップＳ１１）。例えば、ユーザーが、ＤＶＤプレーヤー４１２にＤＶＤが挿入された状態でＨＤＤレコーダー４００を起動した場合、指示情報生成部４１４は、ＤＶＤが挿入されていることを示す挿入通知情報を第１の指示情報として生成し、指示情報出力部４１６は当該第１の指示情報を出力し、指示情報入力部４２６は第１の指示情報を入力する。
【００５１】
指示情報入力部４２６が第１の指示情報を入力した場合、入力判定部４２７は、内部インターフェイス４２４を介して入力される画像信号のソースがＤＶＤソースかどうかを判定する（ステップＳ１２）。例えば、ＤＶＤプレーヤー４１２で再生指示が行われた場合、画像信号のソースはＤＶＤソースになる。
【００５２】
ＤＶＤソースの場合、入力判定部４２７は、内部インターフェイス４２４を介してＤＶＤプレーヤー４１２から画像信号を入力し、画像生成部４３０は、当該画像信号に基づき、ＤＶＤの画像信号に基づく画像を生成する（ステップＳ１３）。
【００５３】
なお、内部インターフェイス４２４を介して入力される画像信号のソースがＤＶＤソースではない場合、画像信号のソースはＨＤＤソースであるものとする。ＨＤＤソースの場合、入力判定部４２７は、内部インターフェイス４２４を介してＨＤＤ４１３から画像信号を入力し、画像生成部４３０は、当該画像信号に基づき、ＨＤＤの画像信号に基づく画像を生成する（ステップＳ１４）。
【００５４】
一方、所定時間内に指示情報入力部４２６に第１の指示情報が入力されなかった場合、制御部４２８は、内部インターフェイス４２４における画像信号の入力有無を判定させないように入力判定部４２７を制御する。これにより、入力判定部４２７は、内部インターフェイス４２４における画像信号の入力有無を判定せず、外部インターフェイス４２２のＨＤＭＩ端子に画像信号が入力されたかどうかを判定することにより、ＨＤＭＩソースがあるかどうかを判定する（ステップＳ１５）。
【００５５】
ＨＤＭＩソースがある場合、入力判定部４２７は、外部インターフェイス４２２のＨＤＭＩ端子を介してセットトップボックス２００等から画像信号を入力し、画像生成部４３０は、当該画像信号に基づき、デジタル画像を生成する（ステップＳ１６）。
【００５６】
さらに、第１の指示情報が入力されず、ＨＤＭＩソースもない場合、入力判定部４２７は、ディスク再生部４１０から待機画像を生成するための待機画像信号を入力し、画像生成部４３０は、当該待機画像信号に基づき、待機画像を生成する（ステップＳ１７）。画像出力部４４０は、画像生成部４３０によって生成される画像をテレビ５００に出力し（ステップＳ１８）、テレビ５００は当該画像を表示する。
【００５７】
以上のように、本実施例によっても、ＨＤＤレコーダー４００は、外部インターフェイス４２２と内部インターフェイス４２４から画像信号を入力し得る状況で、画像信号の入力有無の判定をより適切に行うことができ、第１の実施例のプロジェクター１００と同様の作用効果を奏する。
【００５８】
（その他の実施例）
なお、本発明の適用は上述した実施例に限定されず、種々の変形が可能である。例えば、指示情報は、適切な画像データの存在有無を示す情報であってもよい。例えば、第１の指示情報が適切な画像データが存在することを示す情報であって、第２の指示情報が適切な画像データが存在しないことを示す情報であってもよい。すなわち、制御部１２８、４２８は、指示情報に基づき、適切な画像データが存在している場合は内部インターフェイス１２４、４２４を介して画像信号を入力させるように入力判定部１２７、４２７を制御し、適切な画像データが存在していない場合は外部インターフェイス１２２、４２２を介して画像信号を入力させるように入力判定部１２７、４２７を制御してもよい。
【００５９】
また、内部インターフェイス１２４、４２４に接続される装置は、内部のディスク再生部１１０、４１０には限定されず、例えば、外部のメディア（例えば、ＵＳＢメモリー、メモリーカード等）であってもよい。
【００６０】
また、プロジェクター１００は、液晶プロジェクター（透過型、ＬＣＯＳ等の反射型）には限定されず、例えば、ＤＭＤ(Digital Micromirror Device)を用いたプロジェクター等であってもよい。なお、ＤＭＤは米国テキサス・インスツルメンツ社の商標である。また、プロジェクター１００やＨＤＤレコーダー４００の機能を複数の装置（例えば、ＰＣとプロジェクター等）に分散して実装してもよい。
【符号の説明】
【００６１】
１００  プロジェクター（表示装置）、１１０、４１０  ディスク再生部（メディア再生部）、１１２、４１２  ＤＶＤプレーヤー、１１４、４１４  指示情報生成部、１１６、４１６  指示情報出力部、１２０、４２０  信号処理装置、１２２、４２２  外部インターフェイス、１２４、４２４  内部インターフェイス、１２６、４２６  指示情報入力部（指示情報受付部）、１２７、４２７  入力判定部、１２８、４２８  制御部、１３０、４３０  画像生成部、１９０  投写部（表示部）、２００  セットトップボックス、３００、３０１  情報記憶媒体、４００  ＨＤＤレコーダー、４１３  ＨＤＤ、４４０  画像出力部、５００  テレビ
【図１】
2010197533.tif 000003
【図２】
2010197533.tif 000004
【図３】
2010197533.tif 000005
【図４】
2010197533.tif 000006
【図５】
2010197533.tif 000007
【図６】
2010197533.tif 000008